(57)【要約】      （修正有）【課題】フィラーが噛み込んだり、ギヤが磨耗し易いギヤポンプを使用しない微量用二液混合型注入機。【解決手段】ヘッド部１の両側部に２種類の薬液を供給する手段２、2aを、往復水平移動自在に配設し、ヘッド部１の下部にロータリーミキサー３を装着し、ヘッド部１の上部にロータリーミキサー３の駆動モーター４を配設し、薬液供給手段２、2aは、縦型スクリューポンプ17、17aと、該縦型スクリューポンプに取り付けられた薬液容器18、18aと、該縦型スクリューポンプの下部に配設された流路形成体19、19aと、該流路形成体の内側部に装着されたミキシングヘッド８、8aとを有し、該ミキシングヘッドがロータリーミキサー３の両側に開口形成した受入口に嵌まり込んで、２種類の薬液を供給可能にする。縦型スクリューポンプ17、17aを使用することでフィラーの噛み込み、内部部品の磨耗が抑止された微量用二液混合型注入機。【選択図】図１
2016043508.tif 000002
【特許請求の範囲】
【請求項１】
ヘッド部と、該ヘッド部の両側部に対向状態でヘッド部に対し接離可能に往復水平移動自在に配設した、２種類の薬液を供給する手段と、前記ヘッド部の下部に着脱自在に装着したロータリーミキサーと、前記ヘッド部の上部に配設された前記ロータリーミキサーの駆動モーターとを有し、前記ヘッド部に縦貫形成された貫通部位内に挿通状態の駆動軸の上端を前記駆動モーターに連結すると共に、下端を前記ヘッド部の下部より下方突出させて、前記ロータリーミキサー内に回動可能に収容されたミキシングローターに固定し、前記薬液供給手段は、縦型スクリューポンプと、該縦型スクリューポンプに取り付けられた薬液容器と、前記縦型スクリューポンプの下部に配設された流路形成体と、該流路形成体の内側部に装着されたミキシングヘッドとを有し、前記流路形成体に前記縦型スクリューポンプの流出口と前記ミキシングヘッドとを連通させる流路を形成し、前記ロータリーミキサーは、前記ミキシングヘッドを嵌め込み可能な受入口を両側に開口形成すると共に、該受入口と前記ミキシングローターの収容空間の上部とを連通させる流路を形成したことを特徴とする微量用二液混合型注入機。
【発明の詳細な説明】
【技術分野】
【０００１】
本発明は、注型、成形、塗装等において２種類の微量の薬液を混合して吐出する微量用二液混合型注入機に関する。
【背景技術】
【０００２】
従来、本願出願人は、注入機の基体にスタティック・ミキサーの装着部を設け、ミキシングヘッドを有する一対の流路形成体を基体に移動自在に装着し、又装着部にミキシングヘッドを進退させる進退機構部を設け、基体に進退自在に装着した一対の流路形成体は装着部に対向状態で装着し、ミキシングヘッドは先端縮径のテーパー状と成した２液混合硬化性樹脂の注入機を複数開発し出願しており（例えば、特許文献１参照）、この出願のものは、注入作業終了後における洗浄等の後処理を容易化することを主目的としたものである。
【０００３】
しかし、特許文献１の二液混合型注入機にあっては、往復移動するのはミキシングヘッド15、15a を有する流路形成体19、19a だけで、該流路形成体19、19a より上流側は往復移動せず、具体的には、特許文献１の〔００３７〕及び図１〜３に示されている通り、注入機１の供給バルブ5 、5aと流路形成体19、19a に設けた薬液供給口である取付部27、27a とを、接続パイプ71、71a で連通接続し、又一対の供給バルブ5 、5aの夫々には薬液供給パイプ72、72a と、定量供給機能を有するギヤポンプ、プランジャーポンプ、ダイヤフラムポンプ等の圧送ポンプを設けた供給バルブ5 、5aを開閉作動する圧縮空気供給パイプ73、73a を夫々接続し、供給バルブ5 、5aの圧送ポンプで薬液を接続パイプ71、71a へ送出する様に成っており、２種類の薬液は、薬液容器から薬液供給パイプ72、72a 、供給バルブ5 、5a、接続パイプ71、71a を経て流路形成体19、19a を通過し、ミキシングヘッド15、15a からスタティック・ミキサー３内に供給されることになる。
【０００４】
つまり、特許文献１の二液混合型注入機は、流路形成体19、19a は可動状態であるのに対し、供給バルブ5 、5aは固定状態であるため、可撓性を有する接続パイプ71、71a が必要で、而も流路全体が長くなってしまって、通過時の圧力損失が大きくなり、その結果供給量に極僅かであるが誤差が生じ易く、よって微量の薬液を混合し吐出させることを目的とした二液混合型注入機としては不向きであった。
【０００５】
そこで本願出願人は、ヘッド部の両側部に２種類の薬液の供給手段を、対向状態且つヘッド部に対し接離可能にすべく進退自在に配設し、前記ヘッド部の下部にロータリーミキサーを装着し、該ロータリーミキサーの両側に受入口を開口形成し、前記薬液供給手段は、前記受入口に嵌まり込むミキシングヘッドと、流路形成体と、該流路形成体の上面に配置された薬液容器及びギヤポンプと、該ギヤポンプの駆動モータとを有し、前記流路形成体に、前記薬液容器と前記ギヤポンプの流入口を連通させる直線状の第１流路と、前記ギヤポンプの流出口と前記ミキシングヘッドを連通させる直線状の第２流路とを形成することで、薬液容器と、該薬液容器からミキシングヘッド迄の流路を形成する流路形成体と、薬液容器からミキシングヘッド迄の薬液の送り手段であるギヤポンプ及び駆動モータとを１つの薬液供給手段として纏められて、可撓性を有するパイプの無い短めの直線的な、圧力損失の無い流路が形成されることによって、微量混合・注入用として使用可能にした微量用二液混合型注入機を開発した（例えば、特許文献２参照）。
【先行技術文献】
【特許文献】
【０００６】
【特許文献１】特許第２７５０６６４号公報
【特許文献２】実用新案登録第３１７８１１６号公報
【発明の概要】
【発明が解決しようとする課題】
【０００７】
しかし、合成樹脂には、様々な目的でフィラーと称されるミクロ又はナノサイズの物質を混入することもあるが、特許文献２の微量用二液混合型注入機では、送給手段がギヤポンプであることから、フィラーが大きいと、ギヤに噛み込んだり、ギヤが磨耗するため、この微量用二液混合型注入機では対応出来ないなど、解決せねばならない課題があった。
【課題を解決するための手段】
【０００８】
本発明は、上記従来技術に基づく、ギヤポンプではフィラー混入の合成樹脂には対応出来ない課題に鑑み、ヘッド部と、該ヘッド部の両側部に対向状態でヘッド部に対し接離可能に往復水平移動自在に配設した、２種類の薬液を供給する手段と、前記ヘッド部の下部に着脱自在に装着したロータリーミキサーと、前記ヘッド部の上部に配設された前記ロータリーミキサーの駆動モーターとを有し、前記ヘッド部に縦貫形成された貫通部位内に挿通状態の駆動軸の上端を前記駆動モーターに連結すると共に、下端を前記ヘッド部の下部より下方突出させて、前記ロータリーミキサー内に回動可能に収容されたミキシングローターに固定し、前記薬液供給手段は、縦型スクリューポンプと、該縦型スクリューポンプに取り付けられた薬液容器と、前記縦型スクリューポンプの下部に配設された流路形成体と、該流路形成体の内側部に装着されたミキシングヘッドとを有し、前記流路形成体に前記縦型スクリューポンプの流出口と前記ミキシングヘッドとを連通させる流路を形成し、前記ロータリーミキサーは、前記ミキシングヘッドを嵌め込み可能な受入口を両側に開口形成すると共に、該受入口と前記ミキシングローターの収容空間の上部とを連通させる流路を形成し、前記縦型スクリューポンプにより薬液を前記薬液容器よりロータリーミキサー内に送給することによって、内部でのフィラーの噛み込み、フィラーによる内部部品の磨耗を抑止可能にして、上記課題を解決する。
【発明の効果】
【０００９】
要するに本発明は、ヘッド部と、該ヘッド部の両側部に対向状態でヘッド部に対し接離可能に往復水平移動自在に配設した、２種類の薬液を供給する手段と、前記ヘッド部の下部に着脱自在に装着したロータリーミキサーと、前記ヘッド部の上部に配設された前記ロータリーミキサーの駆動モーターとを有し、前記ヘッド部に縦貫形成された貫通部位内に挿通状態の駆動軸の上端を前記駆動モーターに連結すると共に、下端を前記ヘッド部の下部より下方突出させて、前記ロータリーミキサー内に回動可能に収容されたミキシングローターに固定し、前記薬液供給手段は、縦型スクリューポンプと、該縦型スクリューポンプに取り付けられた薬液容器と、前記縦型スクリューポンプの下部に配設された流路形成体と、該流路形成体の内側部に装着されたミキシングヘッドとを有し、前記流路形成体に前記縦型スクリューポンプの流出口と前記ミキシングヘッドとを連通させる流路を形成し、前記ロータリーミキサーは、前記ミキシングヘッドを嵌め込み可能な受入口を両側に開口形成すると共に、該受入口と前記ミキシングローターの収容空間の上部とを連通させる流路を形成しているので、薬液容器内の薬液は、縦型スクリューポンプにより流路形成体を介して受入口よりロータリーミキサー内に送給することが出来ることから、フィラーが混入していたとしても縦型スクリューポンプ内でのフィラーの噛み込みを抑止出来るため、フィラーの有無に拘らず使用することが出来る等その実用的効果甚だ大である。
【図面の簡単な説明】
【００１０】
【図１】本発明に係る微量用二液混合型注入機の正面図である。
【図２】図１の平面図である。
【図３】図２のＸ−Ｘ断面の要部拡大図である。
【図４（ａ）】図２のＹ１−Ｙ１断面図である。
【図４（ｂ）】図２のＹ２−Ｙ２断面図である。
【図５（ａ）】図１の微量用二液混合型注入機の使用状態の要部拡大図である。
【図５（ｂ）】図１の微量用二液混合型注入機の薬液供給を後退させた状態の要部拡大図である。
【図６】図１の微量用二液混合型注入機を分解した状態の正面図せある。
【図７】図６のＺ−Ｚ拡大断面図である。
【発明を実施するための形態】
【００１１】
以下本発明の一実施例を図面に基づいて説明する。
本発明に係る二液混合型注入機にあっては、基本的に、ヘッド部１と、該ヘッド部１の両側部に対向状態でヘッド部１に対し接離可能に往復水平移動自在に配設した、２種類の薬液を供給する手段２、2aと、ヘッド部１の下部に着脱自在に装着したロータリーミキサー３と、ヘッド部１の上部に配設されたロータリーミキサー３の駆動モーター４とを有し、ヘッド部１に縦貫形成された貫通部位５内に挿通状態の駆動軸６の上端を駆動モーター４に連結すると共に、下端をヘッド部１の下部より下方突出させて、ロータリーミキサー３内に回動可能に収容されたミキシングローター７の差込孔7aに挿嵌している。
そして、薬液供給手段２、2aのミキシングヘッド８、8aが、ロータリーミキサー３の両側に開口形成した受入口９、9aに嵌まり込んで、ロータリーミキサー３内に２種類の薬液を供給可能にしている。
【００１２】
ヘッド部１は、基板10と、該基板10を上下貫通するベアリングケース11と、該ベアリングケース11の上部に固定されたカップリングケース12とを有し、貫通部位５の上方部位をカップリングケース12に、下方部位をベアリングケース11に夫々形成している。
【００１３】
又、ベアリングケース11の上下部内で駆動軸６との間にベアリング13、13a を設け、カップリングケース12の上部に据え付けられた駆動モーター４の出力軸4aの先端に、カップリングケース12内のカップリング14を介して駆動軸６を接続している。
【００１４】
ヘッド部１の後方に薬液供給手段２、2aの進退手段15を配設し、該進退手段15は基板10上に据え付けられ、両側に配置した固定枠16、16a をヘッド部１に対し接離可能に往復水平移動自在とし、この固定枠16、16a に薬液供給手段２、2aが据え付けられており、該薬液供給手段２、2aにあっては、縦型スクリューポンプ17、17a と、該縦型スクリューポンプ17、17a に着脱可能に取り付けられた薬液容器18、18a と、縦型スクリューポンプ17、17a の下部に配設された流路形成体19、19a と、該流路形成体19、19a の内側部に着脱自在に装着されたミキシングヘッド８、8aとを有している。
【００１５】
又、固定枠16、16a は、固定板部20、20a と、該固定板部20、20a の前端部に一体形成された縦型スクリューポンプ17、17a の下端部の収容ケース21、21a とを有し、該収容ケース21、21a の下部に流路形成体19、19a が取り付けられている。
【００１６】
一方の縦型スクリューポンプ17の側面に薬液の供給路22が、他方の縦型スクリューポンプ17a の側面に薬液の供給路22a が開口形成され、これら供給路22、22a に連通する送給路23、23a が穿設さた取付腕杆24、24a の基端部を縦型スクリューポンプ17、17a の側面に固設している。
【００１７】
送給路23、23a は、出口を取付腕杆24、24a の基端面で、入口を取付腕杆24、24a の上面に穿設された薬液容器18、18a の取付孔25、25a の底面中央で夫々開口させている。
【００１８】
薬液容器18、18a は、下部に供給口26、26a を有する差込部27、27a が下方突出され、取付腕杆24、24a の取付孔25、25a に差込部27、27a を差し込んで、取付腕杆24、24a に対し薬液容器18、18a が交換可能に装着されている。
【００１９】
流路形成体19、19a にあっては、上面に縦型スクリューポンプ17、17a の下端部の収容凹部28、28a を垂直に、内側面にミキシングヘッド８、8aの基端部を嵌め込む座繰り29、29a を水平に夫々形成し、収容凹部28、28a の底部中央に、縦型スクリューポンプ17、17a の流出口より大径な半球面状の薬液溜まり30、30a を凹設し、縦型スクリューポンプ17、17a の流出口とミキシングヘッド８、8aとを連通させる流路31、31a の入口を薬液溜まり30、30a で、出口を座繰り29、29a の底部中央で夫々開口させている。
【００２０】
ロータリーミキサー３は、ヘッド部１における基板10からの下方突端部位に固定する注入部32と、該注入部32の下部に固定するミキシングパイプ33と、該ミキシングパイプ33内に回動可能に内装されたミキシングローター７とを有し、該ミキシングローター７の上面中央に穿設された差込孔7aに、駆動軸６の突端部を挿嵌している。
【００２１】
注入部32は、両側部に受入口９、9aを、下面にミキシングパイプ33の取付凹部34を形成し、中央に駆動軸６の挿通孔35を縦貫形成している。
【００２２】
ロータリーミキサー３に受入口９、9aとミキシングヘッド８、8aの収容空間の上部とを連通させる流路36、36a を形成し、具体的には、注入部32の受入口９、9aに流路36、36a を連続形成し、該流路36、36a の出口37、37a を注入部32における取付凹部34の上底面に、ロータリーミキサー３内に２種類の薬液を供給可能に形成している。
具体的には、一方の流路36は挿通孔35に、該挿通孔35に形成した溝部38を介して連通する様に形成し、出口37を挿通孔35の下方開口部とし、他方の流路36a は、挿通孔35に連通させずに、逆Ｌ字状に屈曲形成している。
【００２３】
尚、図面上、進退手段15は４個の両ロッドシリンダーを一体化したもので、２個のシリンダーにおけるロッドの左端を左側の固定枠16に固定すると共に、右端を右側の固定枠16a を貫通させて、残る２個のシリンダーにおけるロッドの右端を右側の固定枠16a に固定すると共に、左端を左側の固定枠16を貫通させているが、要するに薬液供給手段２、2aを進退させることが可能であれば、この構成に何ら限定されない。
【００２４】
次に、本発明に係る微量用二液混合型注入機の作用について説明する（図４（ａ）、（ｂ）参照）。
先ず、図５（ｂ）に示す様な未使用時の状態から、進退手段15により薬液供給手段２、2aを進行させ、即ち縦型スクリューポンプ17、17a 、薬液容器18、18a 及び流路形成体19、19a の全てを移動させて、ミキシングヘッド８、8aが受入口９、9aに嵌まり込んだ図５（ａ）の状態にする。
【００２５】
薬液容器18、18a から２種類の薬液が縦型スクリューポンプ17、17a 内に供給され、該縦型スクリューポンプ17、17a より送られた所定量の薬液をロータリーミキサー３内に供給し合流させ、駆動モーター４によりミキシングローター７が回転し、合流した薬液をミキシングローター７によりロータリーミキサー３の先端側へ移動させながら徐々に混合して化学反応により硬化開始し、ロータリーミキサー３の先端から吐出される。
【００２６】
その際に、薬液は、薬液容器18、18a から取付腕杆24、24a の送給路23、23a 、縦型スクリューポンプ17、17a の供給路22、22a を通過して縦型スクリューポンプ17、17a 内に供給され、一方の縦型スクリューポンプ17より所定量の薬液が、流路形成体19の流路31、ミキシングヘッド８、流路36、溝部38及び挿通孔35を経て出口37より、他方の縦型スクリューポンプ17a より所定量の薬液が、流路形成体19a の流路31a 、ミキシングヘッド8a及び流路36a を経て出口37a より、夫々ミキシングノズル３内に供給されるため、流路通過中に圧力損失が殆ど無く、而も縦型スクリューポンプ17、17a 内のローターとステーターとの間にフィラーが噛み込まない。
【００２７】
尚、縦型スクリューポンプ17、17a は、１回の供給が終了した時点で逆回転させて、ローターとステーター間のキャビティ内に薬液が完全に存在しない状態にすることで、バルブを使用せずに所定量を正確に供給することを可能にしている。
【符号の説明】
【００２８】
１        ヘッド部
２、2a    薬液供給手段
３        ロータリーミキサー
４        駆動モーター
５        貫通部位
６        駆動軸
７        ミキシングローター
８、8a    ミキシングヘッド
９、9a    受入口
17、17a   縦型スクリューポンプ
18、18a   薬液容器
19、19a   流路形成体
31、31a   流路
36、36a   流路
【図１】
2016043508.tif 000003
【図２】
2016043508.tif 000004
【図３】
2016043508.tif 000005
【図４（ａ）】
2016043508.tif 000006
【図４（ｂ）】
2016043508.tif 000007
【図５（ａ）】
2016043508.tif 000008
【図５（ｂ）】
2016043508.tif 000009
【図６】
2016043508.tif 000010
【図７】
2016043508.tif 000011